(57)【特許請求の範囲】
【請求項１】
遠心ファンが収納され舌部が形成された送風ダクトを有する温風発生装置を本体に有し、前記温風発生装置からの温風が吐出される食器乾燥室と、前記本体上に載置される食器収納部とを備えたものにおいて、前記食器乾燥室の一側壁寄りには俎収納部を設け、前記遠心ファンの軸を前記本体底面に対して略垂直に配置し、前記送風ダクトは、前記俎収納部の底面長手方向と略平行に、且つ、前記舌部を前記俎収納部側に配置し、前記俎収納部は、前記食器収納部の底面を一段低くして形成されたことを特徴とする食器乾燥機。
【請求項２】
前記俎収納部は、俎を前記食器乾燥室の一側壁に沿って立てた状態で収納し、前記温風吐出口は、前記俎収納部の前後方向の一端側に配置されることを特徴とする請求項１記載の食器乾燥機。
【請求項３】
前記食器収納部の底面に複数のリブを形成したことを特徴とする請求項１または請求項２記載の食器乾燥機。
【請求項４】
前記遠心ファンを駆動するモータを設け、該モータは、吸気口より吸い込まれた空気が前記送風ダクトに送り込まれるまでの風路中に配置されることを特徴とする請求項１乃至請求項３記載の食器乾燥機。
【発明の詳細な説明】
【０００１】
【産業上の利用分野】
本発明は、俎を乾燥できるようにした食器乾燥機に関する。
【０００２】
【従来の技術】
従来、俎を乾燥できる食器乾燥機は、特開平１−２３０３３５号公報（Ａ４７Ｌ  １９／００）にみられるように、食器を乾燥する主たる乾燥室とは別に俎を乾燥する補助乾燥室を設けたものや、実公平３−４２０２号公報（Ａ４７  １９／００）にみられるように食器乾燥室の中で食器と一緒に乾燥するものがある。前者のものは構造が複雑になる問題があり、後者のものは構造は簡単化できるが、他の食器の邪魔にならないように俎を乾燥室の端に寄せて乾燥しなければならず、そのため充分に温風が当らず乾燥性能の点で問題があった。
【０００３】
【発明が解決しようとする課題】
本発明は、構造を簡単化するために、俎を食器と一緒に共通の食器乾燥室内で乾燥できるようにしたタイプのものにおいて、本体を大型化することなく乾燥性能を向上できる食器乾燥機を提供することを課題とする。
【０００４】
【課題を解決するための手段】
本発明は、遠心ファンが収納され舌部が形成された送風ダクトを有する温風発生装置を本体に有し、前記温風発生装置からの温風が吐出される食器乾燥室と、前記本体上に載置される食器収納部とを備えたものにおいて、前記食器乾燥室の一側壁寄りには俎収納部を設け、前記遠心ファンの軸を前記本体底面に対して略垂直に配置し、前記送風ダクトは、前記俎収納部の底面長手方向と略平行に、且つ、前記舌部を前記俎収納部側に配置し、前記俎収納部は、前記食器収納部の底面を一段低くして形成されたことを特徴とする。
【０００５】
上記構成によって、遠心ファンが回転すると温風吐出口より温風が吐出されるが、この吐出される温風は、遠心ファンの回転方向の影響を受けて、回転方向へ偏向した流れとなる。即ち食器乾燥室の俎収納部のある一側壁側に偏向した流れとなり、俎に温風が多く当たるようになる。従って俎を食器乾燥室の一側壁に寄せて乾燥しても、乾燥性能は良好に保たれる。また、遠心ファンの軸を本体底面に対して略垂直に配置し、俎収納部を食器収納部の底面より低くすることにより、本体の高さを低くすることができる。
【０００６】
俎を乾燥しない時は、温風吐出口が一側壁とその対向壁とのほぼ中間に位置しているので、温風は比較的均一に食器乾燥室内に充満する。
【０００７】
また、前記俎収納部は、俎を前記食器乾燥室の一側壁に沿って立てた状態で収納し、前記温風吐出口は、前記俎収納部の前後方向の一端側に配置されることが望ましい。
【０００８】
また、前記食器収納部の底面に複数のリブを形成することが望ましい。
【０００９】
また、前記遠心ファンを駆動するモータを設け、該モータは、吸気口より吸い込まれた空気が前記送風ダクトに送り込まれるまでの風路中に配置されることが望ましい。
【００１０】
【発明の実施の形態】
本発明の実施例を図に基づき説明する。１は食器乾燥機の本体で、内部に温風発生装置２を有している。本体１は、下ケース３と上ケース４とから構成され、この両ケース３、４はネジ５より結合される。上ケース４には温風発生装置２で発生する温風を吐出する温風吐出口６が開口されている。上ケース４上には、食器収納部、即ち、食器収納容器７が着脱自在に載置され、この容器７の上面開口は蓋８で覆われ、容器７と蓋８とで食器乾燥室９を形成している。食器収納容器７の底面は、多数のリブ１０により図２の点線の如く食器Ｓが立て掛けられるようになっている。温風吐出口６より吐出される温風は食器乾燥室９内に充満し、食器を乾燥した後、蓋８に設けた排気孔１１より排出される。
【００１１】
前記温風発生装置２は、前記下ケース３の底面に対して軸が略垂直に配置されるファンモータ１２と、このモータ１２により回転され遠心ファンの一種であるシロッコファン１３と、このファン１３を収納するファンケ−シング１４と、ファンケ−シング１４に一体的に連結され舌部４０が形成された送風ダクト１５と、送風ダクト１５内に配設されたヒータ１６とから構成される。ファンケ−シング１４と送風ダクト１５は本体下ケース３から一体に突設された側壁１７とこの側壁上を覆うカバ−１８とで構成され、このカバ−１８にはファンケ−シング１４内へ空気を取り入れる吸気口１９が設けられている。そして、前記モータ１２は、前記吸気口１９より吸い込まれた空気が前記送風ダクト１５に送り込まれるまでの風路中に配置されており、前記モータ１２を空気で冷却するようになっている。
【００１２】
送風ダクト１５の先端にはＬ字型に立ち上がった吐出ダクト２０が連結され、のダクト２０の先端は前記温風吐出口６内に位置している。吐出ダクト２０は本体下ケース３に図２から明らかなようにネジ２１止めされている。２２は温風吐出口６より放出される温風を周囲に拡散させるとともに、吐出ダクト２０内への水の浸入を阻止する拡散板で、本体上ケース４に取り付けられている。
【００１３】
２３は本体下ケース３に設けられた外気吸込口で、フィルター２４が装着されている。２５は食器から滴下する水を貯める水受け容器、２６はタイマーである。
【００１４】
而して図２に示す如く食器乾燥室９の一側壁寄り（図で右側寄り）には、俎Ｍを立て掛けて保持する俎収納部２７が形成されている。具体的には食器収納容器７の底面を一段低くして俎Ｍを立て掛けられるようにしている。また上記一側壁とこの側壁と対向する対向壁とのほぼ中間に、且つ、俎Ｍの後方一端側に、前記温風吐出口６を位置させている。さらに前記シロッコファン１３の回転方向は、図３で矢印で示すように上から見て俎収納部２７がある前記一側壁へ向かう方向に設定されている。図３では俎収納部２７を一点鎖線で示している。
【００１５】
斯る構成のもので、食器Ｓや俎Ｍを乾燥する場合、食器乾燥室９の所定の位置に食器Ｓや俎Ｍを設置し、ファン１３を回転すると、外気吸込口２３より本体１内へ吸い込まれた空気は、吸気口１９を介してファンケ−シング１４へ吸い込まれ、ヒータ１６へ送られて加熱されて温風となり、吐出ダクト２０を介し温風吐出口６より食器乾燥室９内へ放出される。図１や図２で矢印はこの時の温風の流れを示す。
【００１６】
この時温風は、送風ダクト１５や吐出ダクト２０が特に偏向してなくても、シロッコファン１３の回転方向の影響を受けて、回転方向へ偏向した流れとなる。即ち食器乾燥室９の俎収納部２７のある一側壁側により多くの温風が放出され、俎Ｍに温風が多く当たるようになる。実験によると一側壁側とその対向壁側とでは６：４の割合で温風が放出された。
【００１７】
従って俎Ｍを他の食器の出し入れに邪魔にならないように、食器乾燥室９の一側壁に寄せて乾燥しても、乾燥性能を良好に保つことができる。
【００１８】
俎を乾燥しない時は、温風吐出口６が前記一側壁とその対向壁とのほぼ中間に位置しているので、温風を比較的均一に食器乾燥室９内に充満させることができ、食器の置き方に神経質にならずとも、食器を万遍なく乾燥できる。
【００１９】
以上の実施例では温風発生装置の遠心ファンとしてシロッコファンを用いたが、これに限られることはない。
【００２０】
【発明の効果】
本発明によれば、構造を簡単にするために、俎を食器と共通の食器乾燥室で乾燥できるようにしたもので、温風発生装置の遠心ファンの回転方向と食器乾燥室内の俎収納部の位置関係を工夫したことにより、俎Ｍを他の食器の出し入れに邪魔にならないように食器乾燥室の一側壁に寄せて乾燥しても、乾燥性能を良好に保つことができる。また、遠心ファンの軸を本体底面に対して略垂直に配置し、俎収納部を食器収納部の底面より低くすることにより、本体の高さを低くすることができる。
【００２１】
また、俎を乾燥しない時は、温風吐出口より温風を比較的均一に食器乾燥室内に充満させることができるので、食器の置き方に神経質になることはなく、使い勝手の優れたものとなる。
【図面の簡単な説明】
【図１】本発明の食器乾燥機の側面縦断面図である
【図２】同食器乾燥機の図１のＡ−Ａ線に基づく断面図である。
【図３】同食器乾燥機の本体上ケース４とファンケ−シングのカバ−19を外した状態の平面図である。
【符号の説明】
１３    シロッコファン（遠心ファン）
４０    舌部
１５    送風ダクト
２    温風発生装置
１    本体
９    食器乾燥室
７    食器収納容器（食器収納部）
２７    俎収納部
６    温風吐出口
１０    リブ
１２    モータ
１９    吸気口
【図１】
0003540792.tif 000002
【図２】
0003540792.tif 000003
【図３】
0003540792.tif 000004